(57)【特許請求の範囲】
【請求項１】
手押しによる除雪具２０であって、その構造は雪掻きバケット２に取り付けられた１本の支持棒１の後端に対して、金属又は強化プラスチックからなる手持ち部分が先端から二股に分かれたハンドル３を取り付け、更に二股に分かれたハンドル３は棒状部材のバー４で補強され、ハンドル３の両後端に金属又は強化プラスチックを使用した棒状部材のテンションバー５を取り付け、テンションバー５の両後端に強化プラスチック又は強化ゴムで形成された固定ベルト７を固定ベルト接続部６を介して装備し、固定ベルト７に作業者の腰部を当て体重を掛け、除雪作業を行う事を特徴とする固定ベルト型手押し除雪具。
【発明の詳細な説明】
【技術分野】
【０００１】
本発明は、手押し除雪具による除雪作業をする場合、手押し除雪具に掛かる抵抗により、作業者の両腕に掛かる負荷は大きなものでしたが、しかし、固定ベルト型手押し除雪具の場合、手押し除雪具のハンドルにテンションバーを取り付け、更に固定ベルトを装備することで、作業者の体重を前方の固定ベルトに掛けて、テンションバーに力を伝え、除雪作業するものであり、人間の身体力学を有効に生かし、腕、腰に掛る負荷を軽減し無理な姿勢から作業者を解放することを目的としている。
構造としては、手押し除雪具のハンドル後方部にテンションバーが取り付けられ、テンションバー後端に固定ベルトを装備するだけの簡単な構造となっている。
【背景技術】
【０００２】
特開２００８−１１４６５６号ショルダーベルト牽引型手押し道具（除雪具小型）は、テンションバーを手押し道具の支持棒、及びハンドル後方に取り付け、作業者の身体にショルダーベルトを装着し作業者の体重を前方に掛ける事によりショルダーベルトに牽引力が働き、徒歩による手押労力（除雪作業）を軽減する事ができ作業者の無理な姿勢から解放することができる。
【先行技術文献】
【特許文献】
【０００３】
【特許文献１】特開２００８−１１４６５６号公報
【発明の概要】
【発明が解決しようとする課題】
【０００４】
上述した特許文献におけるショルダーベルト牽引型手押し道具（除雪具小型）は支持棒及びハンドルにテンションバーを取り付け、ショルダーベルトを作業者に装着し手押し道具（除雪具小型）を牽引するものである。
【０００５】
ショルダーベルト牽引型手押し道具には除雪具大型、除雪具小型、掃除用具モップ、掃除用具水切りワイパー、芝刈り機がある。
いずれもテンションバーおよび装着用ショルダーベルトが作業者の身体の自由を束縛し作業効率を妨げ、束縛による作業者の安全性にも問題があり、また構造上テンションバーが長く折りたたみ式を取り入れる必要があり、構造が複雑化し製品としての強度確保に難点がある。
【０００６】
本発明は、上述したショルダーベルト牽引型手押し道具（除雪具小型）に於ける問題点に対して、解決することができる固定ベルト型手押し除雪具を提供することである。
【課題を解決するための手段】
【０００７】
上述の目的を達成する本発明の固定ベルト型手押し除雪具は、除雪具の雪掻きバケットに支持棒を取付け、支持棒の後端に先端から後方にかけて左右二股に分かれて形成されたハンドルを取付け、ハンドルの両後端にテンションバーを取り付け、更にテンションバーのもう一方の両後端に牽引用の固定ベルトを装備し、手押し除雪具を前進させる際には、作業者の身体の体重を固定ベルトに掛け、歩き出す事により除雪作業を提供するものである。
よって固定ベルト型手押し除雪具は、ショルダーベルト牽引型手押し道具（除雪具小型）におけるテンションバー、及びショルダーベルトによる作業者の身体の束縛から解放し、作業効率を大幅に上げ、束縛からの作業者の安全性を確保する事ができる。
また固定ベルト型手押し除雪具は構造が簡単であり、製造上の強度確保が容易である。
【０００８】
その構造は手押し除雪具の雪掻きバケットに取り付けられた１本の支持棒の後端に、先端から後方にかけて左右二股に分かれたハンドルを取り付け、ハンドルの両後端に対して、棒状部材のテンションバーを取り付け、後方に伸びた棒状部材のテンションバーのもう一方の両先端に固定ベルトを装備し、手押し道具を前進させる際には、作業者の身体の体重を前方の固定ベルトに掛け、歩き出す事によって手押し除雪具の除雪作業を提供するものである。
【０００９】
ショルダーベルト牽引型手押し道具（除雪具小型）は、除雪作業中、テンションバー及びショルダーベルトにより作業者の身体が束縛されるが、固定ベルト型手押し除雪具においては、テンションバーに固定ベルトが装備されて、固定ベルトに作業者の身体の体重を掛けて行う除雪作業ができる構造になっており、テンションバー及びショルダーベルトによる作業者の身体の束縛から放するものである。
【００１０】
この発明は、固定ベルト型手押し除雪具に対してのものである。
【発明の効果】
【００１１】
以上のように、この発明は従来の手押し除雪具の雪掻きバケットに取り付けられた支持棒の後端にハンドルを取り付け、ハンドルの両後端にテンションバーを取り付け、固定ベルトを装備し、固定ベルトに作業者の身体の体重を掛けて除雪作業するものであり、ショルダーベルト牽引型手押し道具（除雪具小型）における、テンションバーおよびショルダーベルトからの作業者の身体の束縛から解放することにより除雪作業効率が向上し、更には束縛による作業者の安全性の向上も図っている。
またこの固定ベルト型手押し除雪具は製造が容易であり、作業者の除雪作業労働力の軽減を目的としている。
【図面の簡単な説明】
【００１２】
【図１】本発明の実施形態に従った固定ベルト型手押し除雪具の雪掻きバケットに取り付けられた支持棒にハンドルを接続し、更に二股に分かれたハンドル両後端にテンションバーを接続し、固定ベルトを取り付けた固定ベルト型手押し除雪具の斜視図である。
【発明を実施するための形態】
【００１３】
以下、本発明の実施の形態を図に基づいて説明する。
【００１４】
図１は、この発明の実施形態に従った固定ベルト型手押し除雪具２０を示す斜視図である。
【００１５】
固定ベルト型手押し除雪具は、構造として雪掻きバケット２に取り付けられた１本の支持棒１に、先端から後方にかけて左右二股に分かれ金属や強化プラスチックで形成されたハンドル３の先端を支持棒１の後端に接続する。
また左右二股に分かれたハンドル３は棒状部材のバー４で補強されていて、更に左右二股に分かれたハンドル３の後端それぞれに、金属又は強化プラスチックを使用した棒状部材のテンションバー５の先端を接続し、更に固定ベルト７の左右端にある固定ベルト接続部６を、棒状部材のテンションバー５の左右後端に接合することで、強化プラスチックまたは強化ゴムなどで成形された固定ベルト７を装備している。
またハンドル３及びテンションバー５、固定ベルト７を全て取り入れた一体型で、強化プラスチックでプレス製造し装備することができる。
固定ベルト型手押し除雪具２０において、雪掻きバケット２に取り付けられた支持棒１に対して取り付けられた左右二股のハンドル３は、作業者が除雪具作業をする際において、両手で持って手押し除雪具２０の方向をコントロールする為のものであり、また固定ベルト７に作業者の身体の体重を掛けて除雪作業をする事で、除雪作業労力を軽減するものである。
【実施例１】
【００１６】
従来の手押し除雪具の作業は作業者の手押しにより行われ、長時間の除雪作業の場合、作業者の両腕、腰にかかる負荷は大きいものがあった。
またショルダーベルト牽引型手押し道具（除雪具）においては作業者の腕、腰にかかる負荷を軽減しているが、いずれもテンションバーおよび装着用のショルダーベルトが作業者の身体の自由を束縛し除雪作業効率を妨げ、束縛による作業者の安全性に問題があり、また構造上テンションバーが長く、折りたたみ式を取り入れる必要がるため構造が複雑化し製品の強度確保に難点がある。
【産業上の利用可能性】
【００１７】
固定ベルト型手押し除雪具は、作業者の身体の体重を固定ベルトにかけて、テンションバーに力を伝えて除雪作業をするものであり、作業者の手押しによる除雪労働力を軽減することで、長時間の手押しによる除雪労働の軽減、及び労働時間の短縮となる。
更にショルダーベルト牽引型手押し道具（除雪具）におけるテンションバー又はショルダーベルトによる作業者の身体束縛から解放することができ、除雪作業効率が向上し作業者の安全性の確保ができる。
また、固定ベルト型手押し除雪具は、構造が簡単になり製品強度の確保が容易であるため、現在普及している除雪具に対して製品の後付も可能であり、また除雪具の生産過程において従来の除雪具と一体化した商品を作る事ができる。
今後はより実現可能な汎用品として一般ユーザーに使用される可能性は多いにある。
【符号の説明】
【００１８】
１  支持棒
２  雪掻きバケット
３  ハンドル
４  バー
５  テンションバー
６  固定ベルト接続部
７  固定ベルト
２０  除雪具
【要約】
【課題】
従来、手押し除雪具は手押し方式で考えられてきたが、しかし手押し方式の手押し雪掻き具は大きな労力が必要であり、また特許製品のショルダーベルト牽引型手押し道具（除雪具）はテンションバー及びショルダーベルトが作業者の身体を束縛する事で、除雪作業効率が落ち安全性にも問題がある。
【解決手段】
上記の課題を解決する為に本発明の固定ベルト型手押し除雪具は、雪掻きバケット２に取り付けられた支持棒１にハンドル３を取り付け、更にテンションバー５を取り付け、テンションバー５の後端に固定ベルト７を装備し、固定ベルト７に作業者の身体の体重を掛け、徒歩により前進することで作業者の除雪労働負荷を軽減し、またショルダーベルト牽引型手押し道具（除雪具）に於けるテンションバー及びショルダーベルトからの作業者の身体の束縛から解放し除雪作業効率を上げ、束縛からの作業の安全性を向上させる。
【選択図】  図１【図１】
0004534240.tif 000002